(57)【特許請求の範囲】
【請求項１】
容器の口部に被着されるキャップであって、
天板部と、該天板部の周縁に設けられた筒状の側面部と、該側面部の下端に連結片を介して設けられた引張部とを備え、
前記側面部の内周面には、前記口部に形成された容器係合凸部と係合して前記口部への被着時において前記容器係合凸部よりも下方に位置するキャップ係合凸部と、前記連結片との連結部分における下端から前記キャップ係合凸部に至る破断部とが形成され、
該破断部が、前記連結片の幅方向中心部から離間し、該連結片の幅方向における両側端部それぞれの近傍に形成され、
前記連結片が、前記側面部の下端から該側面部に沿って上方に向けて折り返されており、
前記引張部が、前記連結片から前記天板部に沿って径方向内方に向けて折り返され、
前記引張部が、前記天板部に対して着脱可能に係合されていることを特徴とするキャップ。
【発明の詳細な説明】
【技術分野】
【０００１】
本発明は、例えば開栓後リキャップしない容器に用いられるキャップに関するものである。
【背景技術】
【０００２】
例えば、洗剤などの詰め替え容器や小容量の使いきり容器など、リキャップの不要な容器であっても、多くの場合においてネジ式のキャップが用いられている。しかし、ネジ式のキャップでは、開栓時に数回キャップを回動させる必要がありため、開栓動作が煩雑となる。
そこで、使用開始時の開栓が容易な打栓式のキャップが提案されている（例えば、特許文献１参照）。このキャップでは、外周壁に形成された切り裂き溝（破断部）に沿って指掛けリングを引き下げた後に該リングを引き上げることによって開栓する。
【特許文献１】特開２００２−３４７７９７号公報
【発明の開示】
【発明が解決しようとする課題】
【０００３】
しかしながら、上記従来のキャップにおいても、使用開始時における開栓をより容易にすることが望まれている。
【０００４】
本発明は、前述の課題に鑑みてなされたもので、開栓がより容易なキャップを提供することを目的とする。
【課題を解決するための手段】
【０００５】
本発明は、上記のような課題を解決するために以下のような手段を採用した。すなわち、本発明のキャップは、容器の口部に被着されるキャップであって、天板部と、該天板部の周縁に設けられた筒状の側面部と、該側面部の下端に連結片を介して設けられた引張部とを備え、前記側面部の内周面には、前記口部に形成された容器係合凸部と係合して前記口部への被着時において前記容器係合凸部よりも下方に位置するキャップ係合凸部と、前記連結片との連結部分における下端から前記キャップ係合凸部に至る破断部とが形成され、該破断部が、前記連結片の幅方向中心部から離間し、該連結片の幅方向における両側端部それぞれの近傍に形成され、前記連結片が、前記側面部の下端から該側面部に沿って上方に向けて折り返されており、前記引張部が、前記連結片から前記天板部に沿って径方向内方に向けて折り返され、前記引張部が、前記天板部に対して着脱可能に係合されていることを特徴とする。
【０００６】
この発明では、側面部に形成された破断部により、破断部及びその近傍において容器係合凸部とキャップ係合凸部との係合力が低下するため、より容易に開栓できる。すなわち、側面部の内周面または外周面において下端からキャップ係合凸部にわたって溝部やミシン目などのような破断線を形成することで、側面部のうち破断部が容易に切断される。このため、引張部を上方に引っ張ると、破断部の形成部分及びその近傍におけるキャップ係合凸部が径方向外方に向けて弾性変形する。これにより、破断部の形成部分及びその近傍においてキャップ係合凸部による口部との係合状態が容易に解除される。そして、この状態で引張部をさらに上方に引き上げることで、キャップ係合凸部が容器係合凸部を乗り越えてキャップと口部との係合状態が順次解除される。したがって、キャップをより容易に開栓することができる。
【０００７】
また、破断部を連結片の幅方向中心部から離間して形成することで、引張部を上方に引っ張った際に側面部における破断部の形成領域及びその近傍に捩れが発生し、破断部が切断される。これにより、キャップがより容易に開栓されやすくなる。
【０００８】
また、連結片の幅方向における両側端部それぞれに一対の破断部を形成することで、引張部を引っ張った際に破断部が切断され、キャップがより容易に開栓されやすくなる。
【０００９】
また、連結片を側面部に沿って配置すると共に引張部を天板部に沿って配置することで、連結片及び引張部それぞれの天板部及び側面部に対する突出量を小さくすることができる。
【００１０】
また、引張部と天板部とを係合させることにより、引張部を天板部に安定して収容できる。
【発明の効果】
【００１１】
この発明にかかるキャップによれば、破断部により側面部の一部を切断することにより、側面部を径方向外方へ弾性変形しやすくすることで、破断部近傍におけるキャップ係合凸部の係合力が低下するため、より容易にキャップを開栓できる。
【発明を実施するための最良の形態】
【００１２】
以下、本発明によるキャップの第１の実施形態を、図面に基づいて説明する。なお、以下の説明に用いる各図面では、各部材を認識可能とするために縮尺を適宜変更している。
本実施形態におけるキャップ１は、図１に示すように、容器２の口部３に被着される。そして、キャップ１は、図１及び図２に示すように、例えばＰＥ（ポリエチレン）、ＰＰ（ポリプロピレン）などの樹脂材料で形成されており、天板部１１と、天板部１１の周縁に設けられた側面部１２と、側面部１２の下端から連結片１３を介して接続された引張リング（引張部）１４とを備えている。
【００１３】
天板部１１は、円板状に形成されている。また、天板部１１の上端外周縁には、径方向外方に向けて突出する天板凸部１５が形成されている。
側面部１２は、天板部１１の周縁に設けられており、ほぼ円筒状に形成されている。そして、側面部１２は、天板部１１の外周縁からほぼ垂下された内周壁２１と、外周壁２２とを備えている。
【００１４】
内周壁２１は、円筒状に形成され、その下部２３が口部３内に着脱可能に嵌合されて、上部が口部３の上端開口縁から上方に向けて突出している。
外周壁２２は、内周壁２１の中央部と連続して設けられており、内径が口部３の外径とほぼ同等である円筒状に形成されている。そして、外周壁２２の内周面には、図１から図３に示すように、その全周にわたって連続的または間欠的に径方向内方に向けて被着凸部（キャップ係合凸部）２４が突設されている。
この被着凸部２４は、口部３の上端の全周にわたって径方向外方に向けて突設された容器凸部（容器係合凸部）３Ａと係合している。ここで、被着凸部２４は、図１及び図３に示すように、キャップ１を容器２に被着した状態において、容器凸部３Ａよりも下方に位置している。
【００１５】
また、外周壁２２の内周面には、図１から図３に示すように、連結片１３との連結部分における下端から上方に向けて延びる一対の溝部（破断部）２５、２６が形成されている。
この溝部２５、２６は、図３（ｂ）に示すように、それぞれ外周壁２２の内周面において連結片１３の幅方向両側端部の近傍に各別に形成されている。すなわち、溝部２５、２６は、外周壁２２の内周面において連結片１３の幅方向中心部から離間して形成されている。これにより、外周壁２２は、溝部２５、２６の各形成部分において薄肉化されている。
【００１６】
連結片１３は、外周壁２２の下端と連続して設けられており、その長さが外周壁２２の高さとほぼ同等となっている。また、連結片１３は、キャップ１の閉栓時において外周壁２２に沿って上側に折り返されている。
引張リング１４は、図１及び図２に示すように、リング状に形成されており、外周の一部が連結片１３に連設されている。また、引張リング１４は、外径が外周壁２２の外径とほぼ同等であると共に、内径が天板部１１の外径とほぼ同等となっている。そして、引張リング１４は、内周壁２１と外周壁２２との連結部に、内周壁２１の外周面を囲むように配置されている。
また、引張リング１４の内周面には、天板部１１に形成された天板凸部１５と係合するリング凸部２７が形成されている。また、引張リング１４において連結片１３との接続部分と径方向で対向する領域には、径方向外方に突出する係合解除凸部２８が設けられている。
【００１７】
以上のような構成のキャップ１は、図２に示すように、連結片１３及び引張リング１４それぞれが展開された状態で成形される。そして、キャップ１は、図１に示すように、連結片１３を外周壁２２に沿って上方に向けて折り返すと共に引張リング１４を天板部１１に沿って径方向内方に向けて折り返し、天板部１１と引張リング１４とを係合させる。この状態で、キャップ１は、外周壁２２の内周面と下部２３とで口部３を挟み込むと共に、容器凸部３Ａと被着凸部２４とを係合させることにより、口部３に被着される。
【００１８】
次に、キャップ１の開栓動作について説明する。まず、係合解除凸部２８を上方に引き上げ、天板凸部１５とリング凸部２７との係合状態を解除する。そして、引張リング１４内に手指を通して上方に引っ張ると、図４に示すように、連結片１３を介して外周壁２２における連結片１３との連結部分は、径方向外方に向けて弾性変形する。このとき、溝部２５、２６が引張リング１４の引き上げ動作により切断される。
この状態で、さらに引張リング１４を上方に引き上げると、外周壁２２の内周面に形成された被着凸部２４が径方向外方に拡径可能であるため、口部３に形成された容器凸部３Ａを乗り越える。
この後、引張リング１４を上方に引き上げるにしたがって被着凸部２４と容器凸部３Ａとの係合状態が溝部２５、２６の近傍から順次解除され、キャップ１が開栓される。
【００１９】
このような構成のキャップ１によれば、溝部２５、２６によって外周壁２２において連結片１３と対応する領域が切断されるため、被着凸部２４と容器凸部３Ａとの係合状態が容易に解除しやすくなる。このとき、外周壁２２の内周面において連結片１３の幅方向の両側端部それぞれに対応して溝部２５、２６を形成することで、溝部２５、２６の間における外周壁２２をより切断しやすくなる。したがって、より容易にキャップ１を開栓することができる。
また、連結片１３を側面部１２に沿って配置すると共に引張リング１４を天板部１１に沿って配置し、連結片１３及び引張リング１４それぞれの天板部１１及び側面部１２に対する突出量を小さくすることで、閉栓時においてキャップ１を小型化できる。さらに、リング凸部２７と天板凸部１５とを係合させることにより、閉栓時において引張リング１４を天板部１１に安定して収容することができる。
【００２０】
次に、本発明によるキャップの参考例の実施形態を、図面に基づいて説明する。なお、ここで説明する実施形態は、その基本的構成が上述した第１の実施形態と同様であり、上述の第１の実施形態に別の要素を付加したものである。したがって、図５から図７においては、図１から図４と同一構成要素に同一符号を付し、この説明を省略する。
【００２１】
参考例の実施形態におけるキャップ５０は、図４に示すように、天板部５１と、側面部５２と、連結片５３と、引張片（引張部）５４とを備えている。
天板部５１は、円板状に形成されている。
側面部５２は、天板部５１の周縁に設けられており、ほぼ円筒状に形成されている。そして、側面部５２は、天板部５１の外周縁よりも径方向内方からほぼ垂下された内周壁６１と、外周縁からほぼ垂下された外周壁６２とを備えている。
内周壁６１は、円筒状に形成され、口部３内に着脱可能に嵌合されている。
外周壁６２は、内径が口部３の外径とほぼ同等である円筒状に形成されている。そして、外周壁６２の内周面には、被着凸部２４と溝部２５、２６とが形成されている。
【００２２】
連結片５３は、外周壁６２の下端と連続して設けられている。
引張片５４は、図５及び図６に示すように、帯状に形成されており、下端部が連結片５３に連設されている。また、引張片５４は、キャップ５０の閉栓時において外周壁６２に沿って配置されている。そして、引張片５４には、外周壁６２の外周面に形成された係合凸部６３と係合する係合孔部６４が形成されている。さらに、引張片５４の上端部には、径方向外方に突出する係合解除凸部６５が設けられている。
【００２３】
次に、キャップ５０の開栓動作について説明する。まず、係合解除部６５をキャップ５０の径方向外方に引き、係合孔部６４と係合凸部６３との係合状態を解除する。そして、引張片５４を図７に示す矢印Ｒ１方向に傾ける。次に、引張片５４を手指により図７に示す矢印Ｒ２方向に引っ張ると、図７に示すように、連結片５３を介して外周壁６２における連結片５３との連結部分が溝部２５、２６により薄肉化されているため、引張片５４の引き上げ動作により切断される。
この状態で、さらに引張片５４を上方に引き上げると、被着凸部２４が容器凸部３Ａを乗り越える。
この後、引張片５４を上方に引き上げるにしたがって被着凸部２４と容器凸部３Ａとの係合状態が溝部２５、２６の近傍から順次解除され、キャップ５０が開栓される。
【００２４】
このような構成のキャップ５０によっても、上述した第１の実施形態と同様の作用、効果を奏する。
【００２５】
なお、本発明は上記実施形態に限定されるものではなく、本発明の趣旨を逸脱しない範囲において種々の変更を加えることができる。
例えば、破断部は、外周壁において一対形成されているが、外周壁において１本のみ形成されていてもよい。ここで、破断部を１本形成する場合には、外周壁の内周面において連結片の幅方向中心部から離間して溝部を形成することが好ましい。これにより、外周壁は、連結片と対応する領域において連結片の幅方向中心部を中心として非対称に弾性変形する。そして、外周壁における連結片との連結部分を中心として径方向を回転軸とする捩れが発生する。このため、溝部の切断がしやすくなる。
また、溝部に変えて、薄肉部や、ミシン目によって破断部を構成しても良い。
そして、破断部は、少なくとも外周壁の下端から被着凸部の中央高さ位置までの高さ範囲にわたって形成されることが好ましく、被着凸部を超える高さまで形成されることがより好ましい。
【００２６】
また、キャップは、天板部及び側面部により有底円筒状となっているが、有底筒形状となっていれば、他の形状であってもよい。
そして、引張リングは、天板部に対して着脱自在に係合されているが、天板部から離間させることができれば、接着など他の方法により接合されてもよい。また、引張リングは、天板部に係合または接合されていなくてもよい。
同様に、引張片は、外周壁に対して着脱自在に係合されているが、外周壁から離間させることができれば、接着など他の方法により接合されてもよい。また、引張片は、外周壁に係合または接合されていなくてもよい。
さらに、引張部は、リング状や帯状に形成されているが、上方に引っ張ることにより連結片を介して破断部を切断することができれば、棒状や板状、円板状など、他の形状であってもよい。
【産業上の利用可能性】
【００２７】
この発明によれば、開栓がより容易なキャップに関して、産業上の利用可能性が認められる。
【図面の簡単な説明】
【００２８】
【図１】本発明の第１の実施形態におけるキャップの閉栓状態を示す断面図である。
【図２】図１のキャップの成形状態における断面図である。
【図３】（ａ）が部分拡大断面図、（ｂ）が（ａ）のＡ−Ａ矢視断面図である。
【図４】キャップの開栓動作を示す部分拡大断面図である。
【図５】本発明の参考例の実施形態におけるキャップの閉栓状態を示す断面図である。
【図６】キャップを展開させた状態における部分拡大裏面図である。
【図７】キャップの開栓動作を示す部分拡大断面図である。
【符号の説明】
【００２９】
１，５０  キャップ
２  容器
３  口部
３Ａ  容器凸部（容器係合凸部）
１１，５１  天板部
１２，５２  側面部
１３，５３  連結片
１４  引張リング（引張部）
２４  被着凸部（キャップ係合凸部）
２５，２６  溝部（破断部）
５４  引張片（引張部）
【図１】
0005193544.tif 000002
【図２】
0005193544.tif 000003
【図３】
0005193544.tif 000004
【図４】
0005193544.tif 000005
【図５】
0005193544.tif 000006
【図６】
0005193544.tif 000007
【図７】
0005193544.tif 000008